(57)【要約】【課題】  蓋部を開閉して使用し、且つ２つの表示部を備える携帯型の電子機器において、デジタルテレビ放送を視聴する際の利便性を向上させることを目的としている。【解決手段】  機能設定画面において「キーワード」を選択し（ａ）、続いて表示されるキーサード入力画面において所望のキーワード「天気予報」を入力する。そして、デジタルテレビ放送を受信（視聴）中（ｃ）、設定したキーワードを含むデータ放送が受信されると、メインディスプレイ２０２には映像Ｗ１のみが表示され（ｄ）、データ放送Ｗ２がサブディスプレイ２０４に表示される（ｅ）。【選択図】  図１２
2005191708.tif 000002
【特許請求の範囲】
【請求項１】
本体部に連結された蓋部を有し、この蓋部を開閉して使用される電子機器において、
デジタルテレビ放送の電波を受信する受信手段と、
前記蓋部が開状態で視認可能な第１の表示部と、
少なくとも前記蓋部が閉状態で視認可能な第２の表示部と、
前記受信手段により受信されたデジタルテレビ放送に含まれる映像を前記第１の表示部に表示させるための制御を行う映像表示制御手段と、
キーワードを設定するキーワード設定手段と、
前記受信手段により受信されたデジタルテレビ放送に含まれるデータ放送のデータに、前記キーワード設定手段により設定されたキーワードの文字列が含まれるか否かを判定するキーワード判定手段と、
このキーワード判定手段により含まれると判定された場合に、前記データ放送を前記第２の表示部に表示させる制御を行うデータ放送表示制御手段と、
を備えることを特徴とする電子機器。
【請求項２】
本体部に連結された蓋部を有し、この蓋部を開閉して使用される電子機器において、
デジタルテレビ放送の電波を受信する受信手段と、
前記蓋部が開状態で視認可能な第１の表示部と、
少なくとも前記蓋部が閉状態で視認可能な第２の表示部と、
前記蓋部の開閉状態を検知する検知手段と、
前記受信手段により受信されたデジタルテレビ放送に含まれる映像を前記第１の表示部に表示させるための制御を行う映像表示制御手段と、
前記検知手段により閉状態と検知された場合に、前記受信手段により受信されたデジタル放送に含まれるデータ放送を前記第２の表示部に表示させる制御を行うデータ放送表示制御手段と、
を備えることを特徴とする電子機器。
【請求項３】
前記受信手段によりデータ放送を含むデジタルテレビ放送の受信が開始されたか否かを判定する判定手段と、
この判定手段により開始されたと判定された場合に所定の報知処理を行う報知手段と、
を更に備えることを特徴とする請求項１又は２に記載の電子機器。
【請求項４】
複数のコンテンツ提供サーバが接続された公衆無線通信網に接続可能な通信手段と、
前記受信手段により受信されたデジタルテレビ放送に含まれるデータ放送のデータに、コンテンツ提供サーバを指定するアクセス先の情報が含まれているか否かを判定するアクセス先判定手段と、
このアクセス先判定手段により含まれていると判定された場合に、前記通信手段を当該判定されたアクセス先に接続させ、当該アクセス先のコンテンツ提供サーバから所定のデータを取得する制御を行う取得制御手段と、
を更に備えることを特徴とする請求項１〜３の何れか一項に記載の電子機器。
【請求項５】
本体部に連結された蓋部と、デジタルテレビ放送の電波を受信する受信手段と、前記蓋部が開状態で視認可能な第１の表示部と、少なくとも前記蓋部が閉状態で視認可能な第２の表示部と、コンピュータとを有し、前記蓋部を開閉して使用される電子機器の前記コンピュータに、
前記受信手段により受信されたデジタルテレビ放送に含まれる映像を前記第１の表示部に表示させるための制御を行う映像表示制御機能と、
キーワードを設定するキーワード設定機能と、
前記受信手段により受信されたデジタルテレビ放送に含まれるデータ放送のデータに、前記キーワード設定機能により設定されたキーワードの文字列が含まれるか否かを判定するキーワード判定機能と、
このキーワード判定機能により含まれると判定された場合に、前記データ放送を前記第２の表示部に表示させる制御を行うデータ放送表示制御機能と、
を実現させるためのプログラム。
【請求項６】
本体部に連結された蓋部と、デジタルテレビ放送の電波を受信する受信手段と、前記蓋部が開状態で視認可能な第１の表示部と、少なくとも前記蓋部が閉状態で視認可能な第２の表示部と、前記蓋部の開閉状態を検知する検知手段と、コンピュータとを備え、前記蓋部を開閉して使用される電子機器の前記コンピュータに、
前記受信手段により受信されたデジタルテレビ放送に含まれる映像を前記第２の表示部に表示させるための制御を行う映像表示制御機能と、
前記検知手段により閉状態と検知された場合に、前記受信手段により受信されたデジタルテレビ放送に含まれるデータ放送を前記第２の表示部に表示させる制御を行うデータ放送表示制御機能と、
を実現させるためのプログラム。
【発明の詳細な説明】
【技術分野】
【０００１】
本発明は、蓋部を有し、この蓋部を開閉して使用される電子機器及びその制御のためのプログラムに関する。
【背景技術】
【０００２】
現在、デジタルテレビ放送では、ＢＳ（Broadcasting Satellite）を用いたＢＳデジタル放送や、ＣＳ（Communication Satellite）を用いたＣＳデジタル放送が普及している。また、地上波デジタル放送が２００３年１２月より開始され、地上波アナログ放送から地上波デジタル放送への移行段階にある。地上波デジタル放送では、変調方式としてＯＦＤＭ（Orthogonal Frequency Division Multiplexing：直交周波数分割多重化方式）方式が用いられているため、複数の電波（具体的には、映像や音声、データ放送等）が多重化して送信されている。
【０００３】
地上波デジタル放送の受信機としては、家庭用の据え置き型のテレビが実用化されているのに加え、移動体向けのデジタルテレビ放送の受信するテレビ機能を有する携帯電話機やＰＤＡ等の携帯型受信機の開発が進められている。
【０００４】
また、デジタル放送の受信機において、受信したデジタル放送を表示させる１つの方法として、特許文献１には、デジタル放送により伝送される情報（データ放送）を分割し、複数画面（ウィンドウ）それぞれに表示させるデータ放送画面分割表示システムが開示されている。
【特許文献１】特開２００２−１３５７３２号公報
【発明の開示】
【発明が解決しようとする課題】
【０００５】
ところで、携帯型の電子機器である携帯電話機としては、本体部と蓋部とを備え、蓋部を開閉して使用する、いわゆる折り畳み型のものが主流となっている。この種の折り畳み型の携帯電話機は、蓋部を開いた状態で視認可能なメインディスプレイと、蓋部を開いた状態／閉じた状態の何れの状態でも視認可能な、メインディスプレイに対して補助的に用いられるサブディスプレイとの２つのディスプレイ（表示部）を有しており、使用する際に開かれ、それ以外の場合には閉じられている。
【０００６】
そこで、このような携帯電話機等の電子機器にデジタルテレビ放送を受信するテレビ機能を内蔵させる場合、蓋部を開閉して使用し、且つ２つの表示部を有するという特性を上手く生かすことで、デジタルテレビ放送を視聴する際の利便性をより向上させることができれば好適である。特にデジタルテレビ放送の電波には、データ放送が多重化されているため、データ放送をサブディスプレイに表示するといった利便性を向上させる制御が望まれるところである。
【０００７】
上記事情に鑑み、本発明は、蓋部を開閉して使用し、且つ２つの表示部を備える携帯型の電子機器において、デジタルテレビ放送を視聴する際の利便性を向上させることを目的としている。
【課題を解決するための手段】
【０００８】
上記課題を解決するために、請求項１に記載の発明は、
本体部（例えば、図１、２の本体部１００）に連結された蓋部（例えば、図１、２の蓋部２００）を有し、この蓋部を開閉して使用される電子機器において、
デジタルテレビ放送の電波を受信する受信手段（例えば、図３のテレビ部４０）と、
前記蓋部が開状態で視認可能な第１の表示部（例えば、図１、２のメインディスプレイ２０２）と、
少なくとも前記蓋部が閉状態で視認可能な第２の表示部（例えば、図１、２のサブディスプレイ２０４）と、
前記受信手段により受信されたデジタルテレビ放送に含まれる映像を前記第の表示部に表示させるための制御を行う映像表示制御手段（例えば、図３のＣＰＵ１０；図５のステップＳ２６）と、
キーワードを設定するキーワード設定手段（例えば、図３のＣＰＵ１０；図７のステップＳ５６）と、
前記受信手段により受信されたデジタルテレビ放送に含まれるデータ放送のデータに、前記キーワード設定手段により設定されたキーワードの文字列が含まれるか否かを判定するキーワード判定手段（例えば、図３のＣＰＵ１０；図５のステップＳ２９）と、
このキーワード判定手段により含まれると判定された場合に、前記データ放送を前記第２の表示部に表示させる制御を行うデータ放送表示制御手段（例えば、図３のＣＰＵ１０；図５のステップＳ２９：ＹＥＳ〜Ｓ３５）と、
を備えることを特徴としている。
【０００９】
また、請求項５に記載の発明は、
本体部に連結された蓋部と、デジタルテレビ放送の電波を受信する受信手段と、前記蓋部が開状態で視認可能な第１の表示部と、少なくとも前記蓋部が閉状態で視認可能な第２の表示部と、コンピュータとを有し、前記蓋部を開閉して使用される電子機器の前記コンピュータに、
前記受信手段により受信されたデジタルテレビ放送に含まれる映像を前記第１の表示部に表示させるための制御を行う映像表示制御機能（例えば、図５のステップＳ２６）と、
キーワードを設定するキーワード設定機能（例えば、図７のステップＳ５６）と、
前記受信手段により受信されたデジタルテレビ放送に含まれるデータ放送のデータに、前記キーワード設定機能により設定されたキーワードの文字列が含まれるか否かを判定するキーワード判定機能（例えば、図５のステップＳ２９）と、
このキーワード判定機能により含まれると判定された場合に、前記データ放送を前記第２の表示部に表示させる制御を行うデータ放送表示制御機能（図５のステップＳ２９：ＹＥＳ〜Ｓ３５）と、
を実現させるためのプログラムである。
【００１０】
この請求項１又は５に記載の発明によれば、受信されたデジタルテレビ放送に含まれる映像を第１の表示部に表示するとともに、受信されたデジタルテレビ放送に含まれるデータ放送のデータに設定されたキーワードの文字列が含まれる場合に、このデータ放送を第２の表示部に表示することができる。即ち、設定されたキーワードを含むデータ放送が第２の表示部に表示される。従って、所望のキーワードを予め登録しておくことで、蓋部を閉じた状態であっても、所望のキーワードを含むデータ放送を視聴することができので、デジタルテレビ放送を視聴する際の利便性が向上する。
【００１１】
請求項２に記載の発明は、
本体部（例えば、図１、２の本体部１００）に連結された蓋部（例えば、図１、２の蓋部２００）を有し、この蓋部を開閉して使用される電子機器において、
デジタルテレビ放送の電波を受信する受信手段（例えば、図３のテレビ部４０）と、
前記蓋部が開状態で視認可能な第１の表示部（例えば、図１、２のメインディスプレイ２０２）と、
少なくとも前記蓋部が閉状態で視認可能な第２の表示部（例えば、図１、２のサブディスプレイ２０４）と、
前記蓋部の開閉状態を検知する検知手段（例えば、図１、２の折畳検知部１２２）と、
前記受信手段により受信されたデジタルテレビ放送に含まれる映像を前記第１の表示部に表示させるための制御を行う映像表示制御手段（例えば、図３のＣＰＵ１０；図１３のステップＳ２６）と、
前記検知手段により閉状態と検知された場合に、前記受信手段により受信されたデジタルテレビ放送に含まれるデータ放送を前記第２の表示部に表示させる制御を行うデータ放送表示制御手段（例えば、図３のＣＰＵ１０；図１３のステップＳ７３：ＹＥＳ〜Ｓ７４）と、
を備えることを特徴としている。
【００１２】
また、請求項６に記載の発明は、
本体部（例えば、図１、２の本体部１００）に連結された蓋部（例えば、図１、２の蓋部２００）と、デジタルテレビ放送の電波を受信する受信手段（例えば、図３のテレビ部４０）と、前記蓋部が開状態で視認可能な第１の表示部（例えば、図１、２のメインディスプレイ２０２）と、少なくとも前記蓋部が閉状態で視認可能な第２の表示部（例えば、図１、２のサブディスプレイ２０４）と、前記蓋部の開閉状態を検知する検知手段（例えば、図１、２の折畳検知部１２２）と、コンピュータとを備え、前記蓋部を開閉して使用される電子機器の前記コンピュータに、
前記受信手段により受信されたデジタルテレビ放送に含まれる映像を前記第１の表示部に表示させるための制御を行う映像表示制御機能（例えば、図１３のステップＳ２６）と、
前記検知手段により閉状態と検知された場合に、前記受信手段により受信されたデジタルテレビ放送に含まれるデータ放送を前記第２の表示部に表示させる制御を行うデータ放送表示制御（例えば、図１３のステップＳ７３：ＹＥＳ〜Ｓ７４）と、
を実現させるためのプログラムである。
【００１３】
この請求項２又は６に記載の発明によれば、受信されたデジタルテレビ放送に含まれる映像を第１の表示部に表示するとともに、蓋部が閉状態の場合に、受信したデジタルテレビ放送に含まれるデータ放送を、少なくとも閉状態で視認可能な第２の表示部に表示することができる。即ち、蓋部を閉じると第１の表示部が視認不可能となるが、そのような場合であってもデータ放送を視聴可能となるので、デジタルテレビ放送を視聴する際の使い勝手が向上する。
【００１４】
また、請求項３に記載の発明の発明は、請求項１又は２に記載の電子機器において、
前記受信手段によりデータ放送を含むデジタルテレビ放送の受信が開始されたか否かを判定する判定手段（例えば、図３のＣＰＵ１０；図５のステップＳ２７）と、
この判定手段により開始されたと判定された場合に所定の報知処理を行う報知手段（例えば、図３のＣＰＵ１０及び音声出力制御部５２；図５のステップＳ２７：ＹＥＳ、Ｓ３２）と、
を更に備えることを特徴としている。
【００１５】
この請求項３に記載の発明によれば、請求項１又は２に記載の発明と同様の効果を奏するとともに、データ放送を含むデジタルテレビ放送の受信が開始された場合に所定の報知処理を行うことができる。即ち、データ放送を含むデジタルテレビ放送の受信が開始されると所定の報知がなされるので、データ放送を含むデジタルテレビ放送の受信をユーザに確実に知らせることが可能となる。尚、報知処理としては、所定の報知音（音声を含む）を音声出力手段（スピーカ等）から出力する、所定のメッセージを表示手段（ディスプレイ等）に表示する、電子機器本体を振動させる等がある。
【００１６】
また、請求項４に記載の発明は、請求項１〜３の何れか一項に記載の電子機器において、
複数のコンテンツ提供サーバが接続された公衆無線通信網に接続可能な通信手段（例えば、図３の電話部６０）と、
前記受信手段により受信されたデジタルテレビ放送に含まれるデータ放送のデータに、コンテンツ提供サーバを指定するアクセス先の情報が含まれているか否かを判定するアクセス先判定手段（例えば、図３のＣＰＵ１０；図６のステップＳ３９）と、
このアクセス先判定手段により含まれていると判定された場合に、前記通信手段を当該判定されたアクセス先に接続させ、当該アクセス先のコンテンツ提供サーバから所定のデータを取得する制御を行う取得制御手段（例えば、図３のＣＰＵ１０；図６のステップＳ３９：ＹＥＳ〜Ｓ４５）と、
を更に備えることを特徴としている。
【００１７】
この請求項４に記載の発明によれば、請求項１〜３の何れか一項に記載の発明と同様の効果を奏するとともに、受信されたデジタルテレビ放送に含まれるデータ放送に、コンテンツ提供サーバを指定するアクセス先の情報が含まれている場合には、このコンテツ提供サーバに接続し、所定のデータを取得することができる。尚ここで、アクセス先の情報としては、ＵＲＬアドレスや電話番号、メールアドレス等がある。
【発明の効果】
【００１８】
この請求項１又は５に記載の発明によれば、受信されたデジタルテレビ放送に含まれる映像を第１の表示部に表示するとともに、受信されたデジタルテレビ放送に含まれるデータ放送のデータに設定されたキーワードの文字列が含まれる場合に、このデータ放送を第２の表示部に表示することができる。即ち、設定されたキーワードを含むデータ放送が第２の表示部に表示される。従って、所望のキーワードを予め登録しておくことで、蓋部を閉じた状態であっても、所望のキーワードを含むデータ放送を視聴することができので、デジタルテレビ放送を視聴する際の利便性が向上する。
【００１９】
また、請求項２又は６に記載の発明によれば、受信されたデジタルテレビ放送に含まれる映像を第１の表示部に表示するとともに、蓋部が閉状態の場合に、受信したデジタルテレビ放送に含まれるデータ放送を、少なくとも閉状態で視認可能な第２の表示部に表示することができる。即ち、蓋部を閉じると第１の表示部が視認不可能となるが、そのような場合であってもデータ放送を視聴可能となるので、デジタルテレビ放送を視聴する際の使い勝手が向上する。
【００２０】
また、請求項３に記載の発明によれば、データ放送を含むデジタルテレビ放送の受信が開始された場合に所定の報知処理を行うことができる。即ち、データ放送を含むデジタルテレビ放送の受信が開始されると所定の報知がなされるので、データ放送を含むデジタルテレビ放送の受信をユーザに確実に知らせることが可能となる。
【００２１】
更に、請求項４に記載の発明によれば、受信されたデジタルテレビ放送に含まれるデータ放送に、コンテンツ提供サーバを指定するアクセス先の情報が含まれている場合には、このコンテツ提供サーバに接続し、所定のデータを取得することができる。
【発明を実施するための最良の形態】
【００２２】
以下、図面を参照して、本発明を実施するための最良の形態を説明する。尚、以下では、本発明を、電子機器の一種である折り畳み型の携帯電話機に適用した場合を説明するが、本発明の適用可能な形態がこれに限定されるものではない。
【００２３】
［概観］
図１、２は、本発明を適用した折り畳み型の携帯電話機１の一例を示す外観図である。図１は、携帯電話機１を開いた状態（開状態）での（ａ）正面図、（ｂ）背面図を示しており、図２は、携帯電話機１を閉じた（折り畳んだ）状態（閉状態）での（ａ）正面図、（ｂ）背面図を示している。
【００２４】
同図によれば、携帯電話機１は、本体部１００と、本体部１００に連結された蓋部２００とを備えて構成されており、ユーザは、携帯電話機１を、主に蓋部２００を開いた状態で使用する。
【００２５】
本体部１００には、一方の面（閉状態で蓋部２００と対向する側の面）に、スイッチ群１１０と、電話用マイク１０８と、折畳検知部１２２とが設けられ、他方の面に、デジタルテレビ放送を受信するためのテレビ用アンテナ１０２と、電話用アンテナ１０４と、外部スピーカ１０６とが設けられている。また、蓋部２００には、一方の面（閉状態で本体部１００と対向する側の面）に、第１の表示部であるメインディスプレイ２０２と、電話用スピーカ２０６と、凸部２０８が設けられ、他方の面に、第２の表示部であるサブディスプレイ２０４が設けられている。
【００２６】
スイッチ群１１０には、数字や文字を入力するためのテンキースイッチ１１１と、携帯電話機１の電源をＯＮ／ＯＦＦ（投入／遮断）するための電源スイッチを兼ねるオフフックスイッチ１１２と、オンフックスイッチ１１３と、クリアスイッチ１１４と、カーソルスイッチ１１５と、決定スイッチ１１６と、携帯電話機１が有するテレビ機能を実行するためのテレビスイッチ１１７と、各種機能設定を行うための機能設定スイッチ１１８と、報知音を停止させるための報知停止スイッチ１１９ａと、報知音を強制的に停止させるための報知強制停止スイッチ１１９ｂとが含まれる。
【００２７】
折畳検知部１２２は、携帯電話機１の開閉状態を検知するものである。具体的には、携帯電話機１が閉じた状態では、凸部２０８によって折畳検知部１２２が押圧されることで閉状態であることを検知し、携帯電話機１が開いた状態では、凸部２０８が隔離されて折畳検知部１２２が押圧されないことで開状態であることを検知する。
【００２８】
メインディスプレイ２０２及びサブディスプレイ２０４は、ともに、バックライト付きのカラーＬＣＤ（Liquid Crystal Display）である。そして、メインディスプレイ２０２は、蓋部２００の本体部１００と対向する側の面に設けられているため、開状態でのみ視認可能であり、閉状態では視認不可能である。一方、サブディスプレイ２０４は、開状態／閉状態の何れの状態であっても視認可能である。
【００２９】
また、本実施の形態において、携帯電話機１は、インターネットや無線ＬＡＮ（Local Area Network）等の公衆無線通信網に接続してデータ通信を行う無線通信機能及び公知の無線電話機能を有するとともに、デジタルテレビ放送を受信するテレビ機能を有している。そして、テレビ用アンテナ１０２で受信したデジタルテレビ放送を、メインディスプレイ２０２又はサブディスプレイ２０４に表示する。
【００３０】
［構成］
図３は、携帯電話機１の回路構成を示すブロック図である。同図によれば、携帯電話機１は、ＣＰＵ（central Processing Unit）１０と、ＲＯＭ（Read Only Memory）２０と、ＲＡＭ（Random Access Memory）３０と、テレビ部４０と、電話部６０と、音声出力制御部５２と、メイン表示制御部５４と、サブ表示制御部５６と、Ｉ／Ｆ部７０とを備えており、各部はバスＢによって接続されている。
【００３１】
ＣＰＵ１０は、入力される指示に応じて所定のプログラムに基づいた所定の処理を実行し、各部への指示やデータの転送等を行って携帯電話機１を統括的に制御する。具体的には、ＣＰＵ１０は、Ｉ／Ｆ部７０から入力されるスイッチ群１１０が有する各スイッチの操作信号等に応じてＲＯＭ２０に格納されたプログラムを読み出し、当該プログラムに従って処理を実行する。
【００３２】
本実施の形態では、ＣＰＵ１０は、ＲＯＭ２０のメイン操作プログラム２１に従ったメイン操作処理（図４〜図７参照）を実行するとともに、このメイン操作処理中に、キーワード入力プログラム２２に従ったキーワード入力処理（図８参照）をサブルーチンとして実行する。また、着信が検知された場合には、着信プログラム２３に従った着信処理（図９参照）を割り込み処理として実行し、折畳検知部１２２により携帯電話機１の開閉状態の変化が検知された場合には、開閉操作プログラム２４に従った開閉操作処理（図１０参照）を割り込み処理として実行し、報知強制停止スイッチ１１９ｂがＯＮされた場合には、報知音強制停止プログラム２５に従った報知音強制停止処理（図１１参照）を実行する。
【００３３】
ＲＯＭ２０には、各種初期設定やハードウェアの検査、必要なプログラムのロード等を行うための初期プログラムが記憶される。ＣＰＵ１０は、携帯電話機１の電源投入時においてこの初期プログラムを実行することにより、携帯電話機１の動作環境を設定する（イニシャライズ）。また、ＲＯＭ２０には、携帯電話機１の動作に係る各種処理プログラムや携帯電話機１が有する種々の機能を実現するためのプログラムやデータ等が記憶される。本実施の形態では、プログラムとして、メイン操作プログラム２１と、キーワード入力プログラム２２と、着信プログラム２３と、開閉操作プログラム２４と、報知音強制停止プログラム２５とが記憶され、データとして、報知音データ２８が記憶される。
【００３４】
報知音データ２８は、デジタルテレビ放送の受信中、データ放送の受信が開始された場合に出力される報知音（音声を含む）のデータである。データ放送の受信が開始されると、この報知音データ２８が音声出力制御部５２に読み出され、報知音データ２８に基づく報知音が外部スピーカ１０６から放音出力される。
【００３５】
ＲＡＭ３０は、ＣＰＵ１０が実行する各種処理プログラムや、これらのプログラムの実行に係るデータ等を一時的に格納する格納領域（メモリ）を備える。本実施の形態では、データ放送格納領域３１と、キーワード格納領域３２と、表示フラグ格納領域３３とを備えている。
【００３６】
データ放送格納領域３１に、受信したデジタルテレビ放送に含まれるデータ放送のデータが、ＴＳデコーダ４３によって分離され、格納される。キーワード格納領域３２には、ユーザにより入力・設定されたキーワードが格納される。
【００３７】
表示フラグ格納領域３３には、表示フラグの値（１／０）が格納される。表示フラグは、受信したデジタルテレビ放送に含まれるデータ放送のデータに、設定されている（キーワード格納領域３２に格納されている）キーワードが含まれるか否かを示すフラグであり、含まれる場合に「１」に設定され、含まれない場合には「０」に設定される。
【００３８】
音声出力制御部５２には外部スピーカ１０６が接続されている。そして、音声出力制御部５２は、ＣＰＵ１０から入力される制御信号に応じて、入力される音声信号に基づく音声を外部スピーカ１０６から放音出力させる。本実施の形態では、音声デコーダ４４から入力される音声信号に基づく音声や、報知音データ２８に基づく報知音を出力させる。
【００３９】
メイン表示制御部５４にはメインディスプレイ２０２が接続されている。そして、メイン表示制御部５４は、ＣＰＵ１０から入力される制御信号に従って、入力される表示信号に基づく表示画面データを構成し、メインディスプレイ２０２を構成する表示素子であるＬＣＤを駆動して対応する表示画面を表示させる。本実施の形態では、映像デコーダ４５から入力される映像信号に基づく映像と、データデコーダ４６から入力されるデータ放送の信号（データ信号）に基づくデータ放送とを同一画面に並列表示させたテレビ画面や、映像のみを表示させたテレビ画面の他、待ち受け画面や機能設定画面、キーワード入力画面、着信画面等を表示させる。
【００４０】
サブ表示制御部５６にはサブディスプレイ２０４が接続されている。そして、サブ表示制御部５６は、ＣＰＵ１０から入力される制御信号に従って、入力される表示信号に基づく表示画面データを構成し、サブディスプレイ２０４を構成する表示素子であるＬＣＤを駆動して対応する表示画面を表示させる。本実施の形態では、データデコーダ４６から入力されるデータ信号に基づくデータ放送を表示させたテレビ画面の他、待ち受け画面や着信画面等を表示させる。
【００４１】
Ｉ／Ｆ部７０には、スイッチ群１１０が接続されている。そして、Ｉ／Ｆ部７０は、スイッチ群１１０に含まれる各スイッチが操作（ＯＮ／ＯＦＦ）された場合に、対応する操作信号をＣＰＵ１０に出力する。
【００４２】
テレビ部４０は、デジタルテレビ放送を受信するテレビ機能を実現するための回路であり、テレビ用アンテナ１０２と、チューナ４１と、復調部４２と、ＴＳデコーダ４３と、音声デコーダ４４と、映像デコーダ４５と、データデコーダ４６とを有している。尚、テレビ部４０は、不図示の電源部によって動作電源が供給されており、この電源供給（ＯＮ／ＯＦＦ）はＣＰＵ１０によって制御される。
【００４３】
チューナ４１は、テレビ用アンテナ１０２と同調を図ることで、ユーザによって指定されたチャンネルに対応する周波数の信号（ＯＦＤＭ変調信号）を受信する。
【００４４】
復調部４２は、チューナ４１から入力されたＯＦＤＭ変調信号を復調する。具体的には、入力されたＯＦＤＭ変調信号をＡＤ変換してデジタル信号に変換した後、同期処理、ＦＦＴ（Fast Fourier Transform：高速フーリエ変換）演算、誤り訂正処理等を実行することで、ＴＳ（Transport Stream：トランスポート・ストリーム）を抽出する。
【００４５】
ＴＳデコーダ４３は、復調部４２から入力されたＴＳから、音声信号、映像信号及びデータ放送の信号（データ信号）を分離し、分離した音声データを音声デコーダ４４に、映像信号を映像デコーダ４５に、データ信号をデータデコーダ４６に、それぞれ出力する。
【００４６】
音声デコーダ４４は、ＴＳデコーダ４３から入力された音声信号を復調（デコード）し、音声出力制御部５２に出力する。映像デコーダ４５は、ＴＳデコーダ４３から入力された映像信号を復調（デコード）し、メイン表示制御部５４に出力する。尚ここで、音声信号及び映像信号は、ＭＰＥＧ（Moving Picture experts Group）等の公知の符号化方式で符号化されており、音声デコーダ４４及び映像デコーダ４５は、入力された信号を、それぞれの符号化方式に対応する方式で復号する。
【００４７】
データデコーダ４６は、ＴＳデコーダ４３から入力されたデータ信号を復号し、メイン表示制御部５４及びサブ表示制御部５６に出力する。また、復号されたデータ信号は、データ放送格納領域３１に格納される。
【００４８】
電話部６０は、無線電話機能及び無線通信機能を実現するための回路部であり、電話用アンテナ１０４と、無線送受信部６１と、無線信号処理部６２と、音声信号処理部６３とを有している。
【００４９】
無線送受信部６１は、電話用アンテナ１０４と同調を図ることで電話信号を受信するチューナであり、受信した電話信号を無線信号処理部６２に出力するとともに、無線信号処理部６２から入力される変調信号を電話用アンテナ１０４から送出する。
【００５０】
尚ここで、電話信号とは、携帯電話機１が電話部６０を用いて音声信号やデータ信号等を送受信するために使用する無線信号である。また、電話部６０による無線信号の通信方式としては、ＣＤＭＡ（Code Division Multiple Access）方式やＰＤＣ（Personal Digital Cellular）方式、ＧＳＭ（Global System for Mobile）方式等の公知の何れの方式であって良い。
【００５１】
無線信号処理部６２は、信号の変調／復調を行うものであり、無線送受信部６１から入力された電話信号を復調し、音声信号処理部６３に出力するとともに、音声信号処理部６３により符号化された音声信号等の各種の信号を変調し、無線送受信部６１に出力する。
【００５２】
音声信号処理部６３は、音声信号の符号／復号を行うものであり、電話用マイク１０８から入力されたアナログの音声信号を、ＡＤ変換を行うことでデジタルの音声信号に変換し、無線信号処理部６２に出力するとともに、無線信号処理部６２から入力されたデジタルの音声信号を、ＤＡ変換を行うことでアナログの音声信号に変換し、電話用スピーカ２０６から出力させる。
【００５３】
［処理の流れ］
次に、処理の流れを説明する。
【００５４】
＜メイン操作処理＞
図４〜図７は、本実施の形態におけるメイン操作処理の流れを示すフローチャートである。このメイン操作処理は、携帯電話機１の電源が投入（ＯＮ）されると、ＣＰＵ１０がＲＯＭ２０のメイン操作プログラム２１を実行することで実現される。
【００５５】
図４〜図７によれば、ＣＰＵ１０は、先ず、イニシャライズ（初期動作）を行って動作環境の設定等を行う（ステップＳ１１）。そして、メインディスプレイ２０２及びサブディスプレイ２０４に所定の待ち受け画面を表示させる（ステップＳ１２）。
【００５６】
続いて、ＣＰＵ１０は、オフフックスイッチ１１２がＯＮされたか否かを判定し、ＯＮされた場合には（ステップＳ１３：ＹＥＳ）、番号入力画面をメインディスプレイ２０２に表示させる（ステップＳ１４）。次いで、テンキースイッチ１１１が操作されて電話番号が入力されると（ステップＳ１５：ＹＥＳ）、入力された電話番号に従う発信処理を行うとともに（ステップＳ１６）、所定の呼び出し報知を行う（ステップＳ１７）。
【００５７】
そして、発信先に接続されると（ステップＳ１８：ＹＥＳ）、ＣＰＵ１０は、通話処理を行い（ステップＳ１９）、その後、オフフックスイッチ１１２がＯＮされると（ステップＳ２０：ＹＥＳ）、終話処理を行って接続を終了し（ステップＳ２１）、ステップＳ１２に移行する。
【００５８】
また、ステップＳ１５において、番号入力画面において電話番号が入力されない場合には（ステップＳ１５：ＮＯ）、ＣＰＵ１０は、続いて、オフフックスイッチ１１２がＯＮされたか否かを判定し、ＯＮされた場合には（ステップＳ２２：ＹＥＳ）、入力された電話番号をクリアし（ステップＳ２３）、その後、ステップＳ１２に移行する。
【００５９】
また、ステップＳ１３において、オフフックスイッチ１１２がＯＮされない場合には（ステップＳ１３：ＮＯ）、ＣＰＵ１０は、続いて、テレビスイッチ１１７がＯＮされか否かを判定する。判定の結果、テレビスイッチ１１７がＯＮされた場合には（ステップＳ２４：ＹＥＳ）、テレビ部４０の電源をＯＮにしてデジタルテレビ放送の受信を開始させる（ステップＳ２５）。そして、テレビ部４０で受信された映像信号をメインディスプレイ２０２に表示させるとともに、音声信号を外部スピーカ１０６から出力させる（ステップＳ２６）。
【００６０】
続いて、ＣＰＵ１０は、データ放送の受信開始を検知したか否かを判定し、検知した場合には（ステップＳ２７：ＹＥＳ）、キーワードの設定の有無を判定し、キーワードが設定されている場合には（ステップＳ２８：ＹＥＳ）、更に、受信されたデータ放送のデータに設定されているキーワードの文字列が含まれるか否かを判定する。
【００６１】
判定の結果、データ放送のデータにキーワードの文字列が含まれている場合には（ステップＳ２９：ＹＥＳ）、ＣＰＵ１０は、表示フラグを「１」に設定する（ステップ３０）。一方、ステップＳ２８において、キーワードが設定されていない場合（ステップＳ２８：ＮＯ）、或いは、ステップＳ２９において、データ放送のデータにキーワードの文字列が含まれていないと判定した場合には（ステップＳ２９：ＮＯ）、表示フラグを「０」に設定する（ステップＳ３１）。
【００６２】
その後、ＣＰＵ１０は、報知音声の発生を開始させる（ステップＳ３２）。そして、データ放送を受信していれば（ステップＳ３３：ＹＥＳ）、表示フラグの設定値を判定し、「１」であれば（ステップＳ３４：ＹＥＳ）、受信したデータ放送をサブディスプレイ２０４に表示させる（ステップＳ３５）。一方、表示フラグの設定値が「０」であれば（ステップＳ３４：ＮＯ）、受信したデータ放送をメインディスプレイ２０２に表示させる（ステップＳ３６）。
【００６３】
次いで、ＣＰＵ１０は、報知停止スイッチ１１９ａがＯＮされたか否かを判定し、ＯＮされた場合には（ステップＳ３７：ＹＥＳ）、報知音の発生を停止させる（ステップＳ３８）。そして、受信したデータ放送のデータにアクセス先の情報であるインターネット情報（具体的には、「http://・・・」で始まるＵＲＬアドレスの文字列）が含まれるか否かを判定し、含まれる場合には（ステップＳ３９：ＹＥＳ）、テレビ部４０の電源を一時的にＯＦＦさせた後（ステップＳ４０）、このＵＲＬアドレスが示すＷｅｂサーバ（コンテンツ提供サーバ）に接続する（ステップＳ４１）。
【００６４】
そして、接続したＷｅｂサーバに情報要求を送付し（ステップＳ４２）、要求した情報のダウンロードを終了すると（ステップＳ４３：ＹＥＳ）、このＷｅｂサーバとの接続を切断する（ステップＳ４４）。次いで、一時的にＯＦＦさせていたテレビ部４０の電源をＯＮさせた後（ステップＳ４５）、ステップＳ４７に移行する。尚ここで、アクセス先の情報は、上述したインターネット情報に限らず、コンテンツ提供サーバが所定の電話番号の電話を通じてデータを配信するサーバである場合には、その電話番号であっても良く、また、電子メールにてデータを配信するサーバである場合には、そのサーバのメールアドレスとして、当該メールアドレス宛に電子メールを送信することとしても良い。
【００６５】
また、ステップＳ３３において、データ放送を受信していない場合には（ステップＳ３３：ＮＯ）、ＣＰＵ１０は、報知音の発生を停止させた後（ステップＳ４６）、テレビスイッチ１１７がＯＦＦされたか否かを判定する。判定の結果、テレビスイッチ１１７がＯＦＦされた場合には（ステップＳ４７：ＮＯ）、ＣＰＵ１０は、テレビ部４０の電源をＯＦＦさせた後（ステップＳ４８）、ステップＳ１２に移行する。一方、テレビスイッチ１１７がＯＦＦされていない場合には（ステップＳ４７：ＮＯ）、ステップＳ２６に移行する。
【００６６】
また、ステップＳ１３において、テレビスイッチ１１７がＯＮされない場合には（ステップＳ１３：ＮＯ）、ＣＰＵ１０は、続いて、機能設定スイッチ１１８がＯＮされか否かを判定する。判定の結果、機能設定スイッチ１１８がＯＮされた場合には（ステップＳ４９：ＹＥＳ）、機能設定画面をメインディスプレイ２０２に表示させ（ステップＳ５０）、該画面に表示されている一つ目（先頭）の項目を反転表示する等して強調表示させる（ステップＳ５１）。
【００６７】
次いで、カーソルスイッチ１１５がＯＮされると（ステップＳ５２：ＹＥＳ）、ＣＰＵ１０は、強調表示させる位置を移動させる（ステップＳ５３）。そして、決定スイッチ１１６がＯＮされると（ステップ５４：ＹＥＳ）、強調表示させている位置の項目を判定し、「キーワード」であれば（ステップＳ５５：ＹＥＳ）、後述するキーワード入力処理を行う（ステップＳ５６）。一方、強調表示位置の項目が他の項目、即ち「キーワード」以外の項目であれば（ステップＳ５５：ＮＯ）、その項目に応じた処理を行う（ステップＳ５７）。その後、ステップＳ５０に移行する。
【００６８】
また、ステップＳ５４において、決定スイッチ１１６がＯＮされない場合には（ステップＳ５４：ＮＯ）、ＣＰＵ１０は、続いて、クリアスイッチ１１４がＯＮされたか否かを判定する。判定の結果、クリアスイッチ１１４がＯＮされた場合には（ステップＳ５４：ＮＯ）、ステップＳ１２に移行し、一方、クリアスイッチ１１４がＯＮされない場合には（ステップＳ５４：ＮＯ）、ステップＳ５２に移行する。
【００６９】
また、ステップＳ４９において、機能設定スイッチ１１８がＯＮされない場合には（ステップＳ４９：ＮＯ）、ＣＰＵ１０は、ステップＳ１２に移行する。
以上の処理を、ＣＰＵ１０は、携帯電話機１の電源がＯＦＦされるまでの間、繰り返し実行する。
【００７０】
＜キーワード入力処理＞
次に、キーワード入力処理を説明する。
図８は、キーワード入力処理の流れを示すフローチャートである。このキーワード入力処理は、メイン操作処理のステップＳ５６においてサブルーチンとして実行される処理であり、ＣＰＵ１０がＲＯＭ２０のキーワード入力プログラム２２を実行することで実現される。
【００７１】
図８によれば、ＣＰＵ１０は、先ず、キーワード入力画面をメインディスプレイ２０２に表示させ（ステップＳ６１）、このキーワード入力画面上に文字入力を促す入力カーソルを表示させる（ステップＳ６２）。
【００７２】
そして、テンキースイッチ１１１が操作されてキーワードが入力されると（ステップＳ６３：ＹＥＳ）、ＣＰＵ１０は、入力されたキーワードを、キーワード入力画面上の入力カーソルが表示されている位置を先頭として表示させるとともに（ステップＳ６４）、入力カーソルの位置を、表示させたキーワードの直後の位置に移動させる（ステップＳ６５）。
【００７３】
次いで、ＣＰＵ１０は、決定スイッチ１１６がＯＮされたか否かを判定し、ＯＮされた場合には（ステップＳ６６：ＹＥＳ）、入力されたキーワードをストア（設定）した後（ステップＳ６７）、本キーワード設定処理を終了する。
【００７４】
一方、決定スイッチ１１６がＯＮされない場合には（ステップＳ６６）、ＣＰＵ１０は、続いて、クリアスイッチ１１４がＯＮされたか否かを判定し、ＯＮされた場合には（ステップ６８：ＹＥＳ）、入力されたキーワードをクリア（無効）した後（ステップＳ６９）、本キーワード設定処理を終了する。一方、クリアスイッチ１１４がＯＮされない場合には（ステップＳ６８：ＮＯ）、ステップＳ６３に移行する。
キーワード入力処理は、以上のように実行される。
【００７５】
＜着信処理＞
次に、着信処理を説明する。
図９は、着信処理を説明するためのフローチャートである。この着信処理は、着信が検知されると開始される割り込み処理であり、ＣＰＵ１０がＲＯＭ２０の着信プログラム２３を実行することで実現される。
【００７６】
図９によれば、ＣＰＵ１０は、先ず、テレビ部４０の電源がＯＮとなっているか否かを判定し、ＯＮである場合には（ステップＳ１０１：ＹＥＳ）、テレビ部４０の電源を一時的にＯＦＦさせる（ステップＳ１０２）。次いで、所定の着信画面をメインディスプレイ２０２及びサブディスプレイ２０４に表示させるととともに（ステップＳ１０３）、所定の着信報知を行う（ステップＳ１０４）。
【００７７】
続いて、ＣＰＵ１０は、オフフックスイッチ１１２がＯＮされたか否かを判定し、ＯＮされた場合には（ステップＳ１０５：ＹＥＳ）、通話処理を行い（ステップＳ１０６）、続いて、オンフックスイッチ１１３がＯＮされると（ステップＳ１０８：ＹＥＳ）、終話処理を行って通話を終了させる（ステップＳ１０８）。
【００７８】
そして、ＣＰＵ１０は、テレビ部４０の電源を一時的にＯＦＦさせているか否かを判定し、一時的にＯＦＦさせている場合には（ステップＳ１０９：ＹＥＳ）、テレビ部４０の電源を、再度ＯＮさせた後（ステップＳ１１０）、本着信処理を終了する。
着信処理は、以上のように実行される。
【００７９】
＜開閉操作処理＞
次に、開閉操作処理を説明する。
図１０は、開閉操作処理の流れを説明するためのフローチャートである。この開閉操作処理は、折畳検知部１２２の検知状態が変化すると開始される割り込み処理であり、ＣＰＵ１０がＲＯＭ２０の開閉操作プログラム２４を実行することで実現される。
【００８０】
図１０によれば、ＣＰＵ１０は、先ず、折畳検知部１２２による検知状態が開状態であるか否かを判定する。判定の結果、開状態である場合には（ステップＳ１１１：ＹＥＳ）、メインディスプレイ２０２のバックライトを点灯させ（ステップＳ１１２）、その後、本開閉操作処理を終了する。
【００８１】
一方、折畳検知部１２２による検知状態が閉状態である場合には（ステップＳ１１１：ＮＯ）、ＣＰＵ１０は、メインディスプレイ２０２のバックライトを消灯させ（ステップＳ１１３）、その後、本開閉操作処理を終了する。
開閉操作処理は、以上のように実行される。
【００８２】
＜報知音強制停止処理＞
次に、報知音強制停止処理を説明する。
図１１は、報知音強制停処理の流れを説明すためのフローチャートである。この報知音強制停止処理は、報知強制停止スイッチ１１９ｂがＯＮされると開始される割り込み処理であり、ＣＰＵ１０がＲＯＭ２０の報知音強制停止プログラム２５を実行することで実現される。
【００８３】
図１１によれば、ＣＰＵ１０は、先ず、テレビ部４０の電源がＯＮであるか否かを判定し、ＯＮである場合には（ステップＳ１２１：ＹＥＳ）、報知音の発生を停止させる（ステップＳ１２２）。その後、本報知音停止処理を終了する。
報知音強制停止処理は、以上のように実行される。
【００８４】
［具体的な動作例］
次に、本実施の形態における具体的な動作例を説明する。
図１２は、本実施の形態においてメインディスプレイ２０２及びサブディスプレイ２０４に表示される表示画面の遷移例を示す図である。
【００８５】
図１２（ａ）は、機能設定画面の一例を示す図であり、この機能設定画面は、図７のステップＳ４９において機能設定スイッチ１１８がＯＮされた場合にメインディスプレイ２０２に表示される。図１２（ａ）によれば、機能設定画面には、携帯電話機１に関わる種々の機能を設定するための複数の項目が表示され、これらの内の１つの項目が反転表示されて強調表示される。同図では、「キーワード」の項目が反転表示されて強調表示されている。また、強調表示の位置（項目）は、カーソルスイッチ１１５を操作することで変更できる。
【００８６】
そして、同図（ａ）の状態で決定スイッチ１１６をＯＮすると、続いて、同図（ｂ）に示すキーワード入力画面がメインディスプレイ２０２に表示される。同図によれば、キーワード入力画面には、入力カーソルＣが表示され、テンキースイッチ１１１を用いて所望のキーワードの文字列を入力することができる。同図では、「天気予報」が入力されている。そして、この状態で決定スイッチ１１６をＯＮすると、ここで入力した文字列、即ち「天気予報」がキーワードとして設定される。
【００８７】
その後、テレビスイッチ１１７をＯＮすると、デジタルテレビ放送の受信が開始され、同図（ｃ）に示すように、受信したデジタル放送に含まれる映像Ｗ１とデータ放送Ｗ２とが、それぞれ独立した画面（ウィンドウ）としてメインディスプレイ２０２に表示される。
【００８８】
次いで、設定されているキーワード「天気予報」を含むデータ放送が受信されると、同図（ｄ）、（ｅ）に示すように、映像Ｗ１のみがメインディスプレイ２０２に表示され、データ放送Ｗ２がサブディスプレイ２０４に表示される。
【００８９】
＜作用・効果＞
以上のように、本実施の形態によれば、デジタルテレビ放送を受信中、データ放送の受信開始が検知されると、報知データ２８に基づく報知音が外部スピーカ１０６から出力される。そして、データ放送のデータに予め設定したキーワードの文字列が含まれる場合には、映像Ｗ１がメインディスプレイ２０２に表示され、データ放送Ｗ２がサブディスプレイ２０４に表示される。また、データ放送のデータにキーワードの文字列が含まれない場合には、映像Ｗ１及びデータ放送Ｗ２が、それぞれ独立した画面（ウィンドウ）としてメインディスプレイ２０２に表示される。従って、所望のキーワードを設定しておくことで、このキーワードを含むデータ放送がサブディスプレイ２０２に表示される、即ち閉状態であっても所望のデータ放送を視聴することができるので、デジタルテレビ放送を視聴する際の使い勝手が向上する。
【００９０】
［変形例］
尚、本発明の適用は、上述した実施の形態に限定されることなく、本発明を逸脱しない範囲で適宜変更可能である。
【００９１】
（Ａ）開閉状態に応じてデータ放送を表示
例えば、上述した実施の形態では、データ放送のデータにキーワードの文字列が含まれる場合にデータ放送をサブディスプレイ２０４に表示することとしたが、これを、携帯電話機１が閉状態の場合にデータ放送をサブディスプレイ２０４に表示することとしても良い。
【００９２】
具体的には、携帯電話機１は、図５のステップＳ２４において、テレビスイッチ１１７がＯＮされた場合に、図１３のフローチャートに示すように動作する。尚、同図において、図５と同一ステップについては同一のステップ番号を付してある。図１３によれば、テレビスイッチ１１７がＯＮされた場合には（ステップＳ２４：ＹＥＳ）、ＣＰＵ１０は、テレビ部４０の電源をＯＮにしてデジタルテレビ放送の受信を開始させる（ステップＳ２５）。そして、テレビ部４０で受信された映像信号をサブディスプレイ２０４に表示させるとともに、音声信号を外部スピーカ１０６から出力させる（ステップＳ２６）。
【００９３】
続いて、ＣＰＵ１０は、データ放送の受信開始を検知したか否かを判定し、検知した場合には（ステップＳ７１：ＹＥＳ）、報知音の発生を開始させる（ステップＳ７２）。その後、データ放送を受信していれば（ステップＳ７３：ＹＥＳ）、携帯電話機１が閉状態であるか否かを判定し、閉状態である場合には（ステップＳ７４：ＹＥＳ）、ステップＳ３５に移行し、受信したデータ放送をサブディスプレイ２０４に表示させる。一方、閉状態でない、即ち開状態である場合には（ステップＳ７４：ＮＯ）、ステップＳ３６に移行し、受信したデータ放送をメインディスプレイ２０２に表示させる。また、ステップＳ７３において、データ放送を受信していなければ（ステップＳ７３：ＮＯ）、ＣＰＵ１０は、報知音の発生を停止させる（ステップＳ４６）。
【００９４】
従って、この場合、テレビスイッチ１１７をＯＮすると、図１４（ａ）に示すように、映像Ｗ１とデータ放送Ｗ２とが独立した画面（ウィンドウ）としてメインディスプレイ２０２に表示される。そして、この状態で携帯電話機１を閉じる（折り畳む）と、同図（ｂ）に示すように、データ放送Ｗ２のみがサブディスプレイ２０４に表示される。
【００９５】
（Ｂ）報知の方法
また、上述した実施の形態では、データ放送の受信を開始した際の報知の方法として、報知音データ２８に基づく報知音を外部スピーカ１０６から出力することとしたが、その他、所定のメッセージをメインディスプレイ２０２又はサブディスプレイ２０４に表示させる、携帯電話機１を振動させる等しても良い。更に、データ放送のデータにキーワードの文字列が含まれる場合に所定の報知を行うこととしても良い。
【００９６】
（Ｃ）本発明を適用する電子機器
また、上述した実施の形態では、本発明を電子機器の一種である折り畳み型の携帯電話機に適用した場合について説明したが、その他、例えばＰＤＡに適用しても良い。
【００９７】
図１５は、本発明を適用したＰＤＡ３の一例を示す外観斜視図であり、同図（ａ）は、開いた状態（開状態）を示しており、同図（ｂ）は、閉じた状態（閉状態）を示している。同図によれば、ＰＤＡ３は、本体部３００と、本体部３００に連結された蓋部４００とを備えて構成されており、ユーザは、主に、蓋部４００を開いた状態でＰＤＡ３を使用する。
【００９８】
本体部３００には、第１の表示部であるメインディスプレイ３０２が設けられ、蓋部４００には、第２の表示部であるサブディスプレイ４０２が設けられている。メインディスプレイ３０２は、閉状態では蓋部４００に覆われて視認不可能となる。また、サブディスプレイ４０２は、開状態／閉状態の何れであっても視認可能である。
【００９９】
（Ｄ）デジタルテレビ放送
更に、上述した実施の形態では、地上波デジタル放送を受信することとしたが、他のデジタル放送、例えばＣＳデジタル放送やＢＳデジタル放送であっても同様に適用可能なのは勿論である。
【図面の簡単な説明】
【０１００】
【図１】携帯電話機の開状態での外観図。
【図２】携帯電話機の閉状態での外観図。
【図３】携帯電話機の回路構成図。
【図４】メイン操作処理の流れを示すフローチャート。
【図５】図４のフローチャートの続き。
【図６】図５のフローチャートの続き。
【図７】図６のフローチャートの続き。
【図８】キーワード入力処理の流れを示すフローチャート。
【図９】着信処理の流れを示すフローチャート。
【図１０】開閉操作処理の流れを示すフローチャート。
【図１１】報知音強制停止処理の流れを示すフローチャート。
【図１２】表示画面の遷移例。
【図１３】閉状態の場合にデータ放送をサブディスプレイに表示する場合の処理の流れを示すフローチャート。
【図１４】図１３の処理を行った場合の表示画面の遷移例。
【図１５】本発明を適用したＰＤＡの外観図。
【符号の説明】
【０１０１】
１  携帯電話機
１００  本体部
１１０  スイッチ群
１１１  テンキースイッチ
１１２  オフフックスイッチ
１１３  オンフックスイッチ
１１４  クリアスイッチ
１１５  カーソルスイッチ
１１６  決定スイッチ
１１７  テレビスイッチ
１１８  機能設定スイッチ
１１９ａ報知停止スイッチ
１１９ｂ報知強制停止スイッチ
１０２  テレビ用アンテナ
１０４  電話用アンテナ
１０６  外部スピーカ
１２２  折畳検知部
２００  蓋部
２０２  メインディスプレイ
２０４  サブディスプレイ
１０  ＣＰＵ
２０  ＲＯＭ
２１  メイン操作プログラム
２２  キーワード入力プログラム
２３  着信プログラム
２４  開閉操作プログラム
２５  報知音強制停止プログラム
２８  報知音データ
３０  ＲＡＭ
３１  データ放送格納領域
３２  キーワード格納領域
３３  表示フラグ格納領域
４０  テレビ部
４１  チューナ
４２  復調部
４３  ＴＳデコーダ
４４  音声デコーダ
４５  映像デコーダ
４６  データデコーダ
５２  音声出力制御部
５４  メイン表示制御部
５６  サブ表示制御部
６０  電話部
６１  無線送受信部
６２  無線信号処理部
６３  音声信号処理部
７０  Ｉ／Ｆ部
【図１】
2005191708.tif 000003
【図２】
2005191708.tif 000004
【図３】
2005191708.tif 000005
【図４】
2005191708.tif 000006
【図５】
2005191708.tif 000007
【図６】
2005191708.tif 000008
【図７】
2005191708.tif 000009
【図８】
2005191708.tif 000010
【図９】
2005191708.tif 000011
【図１０】
2005191708.tif 000012
【図１１】
2005191708.tif 000013
【図１２】
2005191708.tif 000014
【図１３】
2005191708.tif 000015
【図１４】
2005191708.tif 000016
【図１５】
2005191708.tif 000017